Podtech/llm-jp-corpus-v4-ja_patent huggingface dataset:
(57)【要約】【課題】飲料用紙パックに於いては外付けストローを廃止することで、その欠落が防止され外形がすっきりしたことで商品管理、配送が改良、また噴きこぼれを防止する。飲料用ボトルに於いては別途ボトルに適したストローの調達のわずらわしさの開放及びその再収納、再使用。【解決の手段】飲料用紙パックに於いてはフタシール内側に突起物を設けそれにストローを装着し内蔵すること、及びストロー穴近くに設けた小穴によって噴出しの防止となり解決される。飲料用ボトルに於いてはキヤップ内側（中ブタ、又はキヤップ本体の）に突起物に設けそれにストローを装着し内蔵することで解決する。【選択図】    図３
2004250091.tif 000002
【特許請求の範囲】
【請求項１】
フタシール内側に突起物を設けそれにストローを装着した飲料用紙パック。
【請求項２】
ストロー穴の近くに小穴を設けた請求項１の飲料用紙パック
【請求項３】
ボトルキャップの内側に突起物を設けてそれにストローを装着した飲料用ボトル。
【発明の詳細な説明】
【０００１】
【発明の属する技術分野】
本発明は飲料用紙パック及び飲料用ボトルに関する。
【０００２】
【従来の技術】
従来の飲料用紙パックに於いてはストロー内蔵のもの（例えば特許文献１参照）があるが、実用化されておらず、一般的には外付けのストローを使用しているのが現状であり又使用の際保持する手圧によって内容液が噴きこぼれる事が多々ある。
【０００３】
【特許文献１】
特許公開平９−２４９２６１
【０００４】
従来の飲料用ボトルに於いては、別途、ボトルに適する長さのストローを調達して使用。
【０００５】
【発明が解決しようとする課題】
飲料用紙パックにおいては、ストロー外付けのわずらわしさそのストロー欠落、外形突起形態による配送、商品管理の問題。
【０００６】
飲料用紙パックに於いて使用の際保持する手圧によって内容液が噴きこぼれる事が多々あるという問題。
【０００７】
飲料用ボトルに於いては、別途ボトルに適したストローを調達する事。
【０００８】
【課題を解決する為の手段】
飲料用紙パックに於いてはフタシールの内側に設けた、根元にくびれの有る突起物に口のすぼまったストローを装着し内蔵する。
【０００９】
飲料用紙パックに於いてはストロー穴の近くに別に小穴を設ける。
【０００１０】
飲料用ボトルに於いては、そのキャップ内側（キヤップ中フタ又はキヤップ本体の）に設けた根元にくびれのある突起物に口のすぼまったストローを装着し内蔵する。
【００１１】
【発明の実施の形態】
発明の実施の形態を図面参照して説明する。
飲料用紙パックに於いては図２に示す通り突起物（４）にストロー（８）を装着し小穴（３）を設ける。
【００１２】
飲料用ボトルに於いては図４に示す通りキャップ内側の突起物にストローが装着される
【００１３】
飲料紙パック及び飲料用ボトルの内側に設けられた突起物は図３、図５に示す通り根元にくびれ（７）が有りこれに、口のすぼまったストロー（８）が噛み合う形態で装着される。
【００１４】
【発明の効果】
本発明は以上のように構成されるので以下に記載されるような効果を奏する。
【００１５】
飲料用紙パックに於いてはストロー内蔵によって、フタシールをはがすことによってストローが出てくるのでその使い勝手が改良され、ストロー欠落などのトラブルも無くなり外形もすっきりすることで、商品管理、配送等が改善される。
【００１６】
飲料用紙パックに於いてストロー穴近くに小穴を設けることにより噴きこぼれ防止ができる。
【００１７】
飲料用ボトルに於いては別途ボトルに適した長さのストローを調達するわずらわしさから開放され、飲みきれない場合などストローを再装着、収納することにより再使用できる。
【図面の簡単な説明】
【図１】飲料紙パックの外観図。
【図２】飲料用紙パックの断面図。
【図３】飲料用紙パックのストローを装着形態及び噴出し防止用の穴、の断面図。
【図４】飲料用ボトルのキヤップ中ブタにストローが装着した断面図。
【図５】飲料用ボトルのキャップ中ブタにストローが装着した断面図。
【図６】飲料用ボトルキヤップ本体内側にストローが装着した断面図。
【符号の説明】
１    紙パックの外箱
２    フタシール
３    噴きこぼれ防止の小穴
４    フタシール内側に設けたストロー装着用突起物
５    飲料用キヤップの中ブタに設けた突起物
６    飲料用キヤップ本体内側に設けた突起物
７    突起物のくびれ
８    先端がすぼまっているストロー
【図１】
2004250091.tif 000003
【図２】
2004250091.tif 000004
【図３】
2004250091.tif 000005
【図４】
2004250091.tif 000006
【図５】
2004250091.tif 000007
【図６】
2004250091.tif 000008
(57)【要約】【課題】マヨネーズのような流動物を内容量が減っても最後まで絞出しやすく立てた状態で置くことのできる容器を提供する。【解決手段】容器の形に対称性をもたせ、下部分にふくらみを設けることにより、容器の底部を押し上げ、側面反転させることができ、後は使った量に応じて押し上げていけばよい。【選択図】図１
2004250094.tif 000002
【特許請求の範囲】
【請求項１】
容器の上部分と下部分が対称軸を中心として相似形をなし対称軸より上部分は上へ向かうほど小さく、下部分はそれと対称をなして下へ向かうほど小さくなっている流動物を入れる容器
【請求項２】
容器の下部分にふくらみを設けた請求項１の流動物を入れる容器
【発明の詳細な説明】
この発明は流動物を入れる容器に関するものである。従来、マヨネーズ、ケチャップ、化粧用クリーム、練り歯磨き、薬品、接着剤塗料等の流動性のある物質は軟質のプラスチック容器に入れられ、使用時にそれを圧迫して絞出することにより使用に供される。この場合容器は剛性を有していないため潰れ易く内容量が少なくなってくると絞出しが困難になるという欠点と立てた状態で置けなくなるという欠点があった。
本発明は従来と同じ軟質のプラスチックを用いその欠点を除くためになされたもので、図１に示すように、容器の上部分Ａと下部分Ａ′が対称軸Ｃを中心として相似形をなし、対称軸Ｃより上部分Ａは、上へ向かうほど小さく、下部分Ａ′はそれと対称をなして下へ向かうほど小さくなるように構成し下部分Ａ′の下部にふくらみＢを設けたものである。
相似形をなす上部分Ａと下部分Ａ′の容器に対する構成割合は一部分でも良いし全部でもよく目的、用途等によって適宜選択される。ふくらみＢの数も目的、用途等によって増やす。容器の断面の形は円でも、マヨネーズ容器のようにだ円でも目的、用途等によって適宜選択される。その形状によっては下部分が反転しやすいようにふくらみをへこみにする。
以上のような構造の容器に流動物を充填させ、４〜５分目ほど絞出し内容量が減った時点で容器の形を再度整え、中の流動物がおちついた時、ふくらみＢを押しやりながら底部を押し上げ側面を反転させる。その後は使った量だけ下部分Ａ′を押し上げていく。最終的には下部分Ａ′が逆転して埋没していき、上部分Ａと重なり合うので、従来のように内容物が少なくなってくると絞出しずらいということもないし、容器としての形も保たれるから、立てた状態で置くことができ、美観を損ねることもない。製造コストも形状が簡単であるから、従来とほとんど変わらないで済む。使用済みとなって捨てる時、収縮してコンパクトになっているので処理が容易である。
【図面の簡単な説明】
【図１】本発明の正面図である。
【図２】本発明の下部分Ａ′が上部分Ａに埋没した時の正面図である。
【符号の説明】
Ａは容器の上部分  Ａ′はＡと対称をなす容器の下部分
Ｂはふくらみ      Ｃは対称軸
【図１】
2004250094.tif 000003
【図２】
2004250094.tif 000004
(57)【要約】【課題】安定化したマレイン酸エナラプリルを含有する医薬用組成物を提供することである。【解決手段】マレイン酸エナラプリルに合成ヒドロタルサイトを含有した医薬用組成物であり、保存安定性に優れた高血圧の治療剤の製造に有利に利用することができる。【選択図】    なし【特許請求の範囲】
【請求項１】
マレイン酸エナラプリルに合成ヒドロタルサイトを含有することを特徴とする、安定化したマレイン酸エナラプリルを含有する医薬用組成物。
【発明の詳細な説明】
【０００１】
【発明の属する技術分野】
本発明は、安定化したマレイン酸エナラプリルを含有する医薬用組成物に関する。
【０００２】
【従来の技術および発明が解決しようとする課題】
マレイン酸エナラプリルは高血圧の治療剤として広く用いられている。
しかしながら上記マレイン酸エナラプリルは、空気中の酸素や湿気によって酸化や加水分解を受けやすく、通常の方法により製剤化した場合には、保存中にその含量が低下するという問題があった。そこで従来から、マレイン酸エナラプリルの安定化を図る方法が種々検討されている。
例えば特許文献１には、マレイン酸エナラプリルに、アルカリ金属またはアルカリ土類金属の炭酸塩と、乳糖などのサッカライドを含有する医薬組成物が記載されており、特定のアルカリ性化剤および賦形剤を組み合わせることによりマレイン酸エナラプリルの安定性の向上が図れるとされている。
しかしながら、製剤化する上では新たな安定化剤や安定化方法など、マレイン酸エナラプリルの安定化を図るさらなる技術の開発が求められている。
【０００３】
そこで本発明の目的は、新たな安定化剤を見出し、安定化したマレイン酸エナラプリルを含有する医薬用組成物を提供することである。
【０００４】
【特許文献１】
特許第２６１９９０４号明細書
【０００５】
【課題を解決するための手段】
上記課題を解決すべく本発明者らは鋭意検討を重ねる過程で、マレイン酸エナラプリルを含む系に合成ヒドロタルサイトを含有させると、マレイン酸エナラプリルの安定性が優れ、医薬用組成物中のマレイン酸エナラプリルの含量低下を抑制することができるという新たな事実を見出し、本発明を完成するに至った。
【０００６】
すなわち本発明の医薬用組成物は、マレイン酸エナラプリルに合成ヒドロタルサイトを含有することを特徴とする。
本発明によれば、分解しやすいマレイン酸エナラプリルを長期にわたって安定に保持し、殆ど変色のしない安定化したマレイン酸エナラプリルを含有する医薬用組成物を製造することができる。
【０００７】
【発明の実施の形態】
本発明におけるマレイン酸エナラプリルは自体公知の化合物であり、市販のものが使用可能である。その配合量は特に制限はないが、例えば当該組成物全体に対して０．１重量％以上、好ましくは０．１〜３０重量％、より好ましくは１〜３０重量％、さらに好ましくは５〜２５重量％の範囲で使用される。
【０００８】
前記合成ヒドロタルサイトとしては特に制限はなく、例えば医薬品添加物辞典（  日本医薬品添加物協会編集  薬事日報社、２０００）に収載のものなど、市販のもの（商品名アルカマック  協和化学工業社製）が使用可能である。
合成ヒドロタルサイトの添加量は特に制限はないが、組成物全量に対して０．０５重量％以上、好ましくは０．１〜４０重量％、より好ましくは０．３〜２５重量％、さらに好ましくは０．５〜２０重量％の範囲から選択され、通常０．５〜１０重量％程度を含有する。またマレイン酸エナラプリル１重量部に対して０．０５重量部以上、好ましくは０．１〜１００重量部、より好ましくは０．２〜５０重量％、さらに好ましくは０．３〜２０重量％の範囲から選択され、通常０．５〜１０重量％程度で使用するのがよい。
【０００９】
本発明の医薬用組成物は、粉末剤、細粒剤、顆粒剤、丸剤、カプセル剤、錠剤などの種々の剤形に製剤化することができる。その際、例えば医薬品添加物辞典（前出）に収載の種々のものが使用可能である。
【００１０】
錠剤は公知の方法、すなわち乾式法または湿式法のいずれも採用することによって得られる。
【００１１】
【実施例】
以下、実施例によって本発明をさらに詳しく説明するが、本発明は以下の実施例のみに限定されるものではない。
実施例１
マレイン酸エナラプリル５重量部、乳糖７７重量部、α化デンプン５重量部、合成ヒドロタルサイト７重量部を混合したのち、精製水を加えて練合した。湿体物を乾燥し、得られた乾燥物に部分α化デンプン５重量部、ステアリン酸マグネシウム１重量部を加え袋混合することにより、本発明の医薬用組成物（粉末状）を得た。
比較例１
合成ヒドロタルサイトに代えて炭酸水素ナトリウムを同量用いた以外は実施例１と同様にして、医薬用組成物（粉末状）を得た。
比較例２
合成ヒドロタルサイトに代えて酒石酸ナトリウムカリウムを同量用いた以外は実施例１と同様にして、医薬用組成物（粉末状）を得た。
比較例３
合成ヒドロタルサイトに代えて含水二酸化ケイ素を同量用いた以外は実施例１と同様にして、医薬用組成物（粉末状）を得た。
（安定性試験）
実施例１と、比較例１〜３で得た組成物について、５０℃湿度７５％の環境下で２週間保存した後のマレイン酸エナラプリルの残存率を測定したところ、比較例１〜３は６５％未満であるのに対し、実施例１の組成物中においては残存率が８０％以上という安定効果の有効性が確認できた。
実施例２
マレイン酸エナラプリル５重量部、乳糖７７重量部、α化デンプン５重量部、合成ヒドロタルサイト７重量部を混合したのち、精製水を加えて練合した。湿体物を乾燥し、得られた乾燥物に部分α化デンプン５重量部、ステアリン酸マグネシウム１重量部を加え袋混合したのち、ハンディタイプの打錠機で打錠し、径６．５ｍｍの錠剤を得た。
【００１２】
【発明の効果】
本発明によれば、合成ヒドロタルサイトを含有させることにより、分解しやすいマレイン酸エナラプリルを長期にわたって安定に保持した医薬用組成物を得ることができる。その結果、本発明の医薬用組成物を常法に従って錠剤等の製剤を製造すれば、保存安定性に優れた高血圧の治療剤を提供することができる。
(57)【要約】      （修正有）【課題】悪臭を放つ家畜糞尿を脱臭する。【解決手段】悪臭を放つ家畜糞尿２５立方メートルに、石膏ボード粉２立方メートル、フライヤッシュ０．５立方メートルの粉剤《グループ▲１▼》を混ぜる。更に、ＥＭ菌と乳酸菌をそれぞれ４５０ミリリットルの混合溶剤《グループ▲２▼》を混ぜる。そして攪拌する。【選択図】図１
2004250309.tif 000002
【特許請求の範囲】
【請求項１】
悪臭を放つ家畜糞尿に、フライヤッシュと石膏ボード粉の混合粉剤《グループ▲１▼》を振り掛け、更に、ＥＭ菌と乳酸菌の混合液剤《グループ▲２▼》を混ぜた後、攪拌する。
【発明の詳細な説明】
【０００１】
【産業上の利用分野】
生牛糞・豚糞・鶏糞（以下「糞類」と言う。）の堆肥糞類から、悪臭除去等の改善ができれば、悪臭や河川公害の排除にも繋がる。
この事は畜産農家、畜産業者の環境改善だけでは無く、地域住民環境の保全と改善にも繋がり、畜産業者と地域住民との協調性をも育む事に成る。
本発明は、より多くの畜産農家や畜産業者の使途に繋がり、悩み多く畜産農家と畜産業者、犬のブリーダや競馬場等の分野にも利用されるものと推察する。
【０００２】
【従来の技術】
従来、畜産農家は糞類を未熟堆肥のままで田畑に施用していたが、畜産業の成長に伴い、それら糞類の余剰状態が続き、野積みする方法と攪拌する方法が主流である。
鹿児島川辺町の畜産農家が「人蠅の孵化前の卵を、家畜堆肥にバラ撒けばその卵の孵化時に排出する酵素が悪臭を絶ち、１週間程度で悪臭が消えた」との報告がある。然し、人蠅がいったん孵化すればその退治等に大きな支出が見込まれるデメリットがある。
【０００３】
【発明が解決しようとする課題】
本発明は、畜産農家、畜産業者、それを取り巻く地域住民の悪臭公害を防止する事にあり、どのようなものが理想的なものかを実験した結果、当面、４種類の成分を混ぜて攪拌する方法が最上であることを発見した。
【０００４】
【課題を解決するための手段】
この発明は、糞類２５立方メートルに、金属・紙・接着剤を取り除いた石膏ボード粉２立方メートルとフライヤッシュ０．５立方メートルを混合した粉剤《グループ▲１▼》を振り掛け、ＥＭ菌と乳酸菌をそれぞれ４５０ミリリットルを混合した液剤を混ぜて攪拌する方法である。
攪拌して１０分余で、糞類の悪臭が改善されるばかりか、《グループ▲１▼》成分で脱水する利点もある。
更に、肥料としても均一化された特殊肥料が出来上がる利点も派生した。
金額にして、３６，５００円で済む素晴らしい発明である。
【０００５】
【作用】
本発明は以上のような構成であるから、悪臭を放つ家畜糞尿の脱臭作用だけで無く、《グループ▲１▼》の成分特徴から脱水作用を成し、《グループ▲２▼》の成分配合から温度に弱いＥＭ菌を乳酸菌が補うことから、地域による使途制限の無い、均一化された特殊肥料ができる。
【０００６】
【実施例】
本発明を成した後、畜産を営む農家と業者に対し、既に５０数例を数え、飼育牛１０頭以下の堆肥舎では混合成分を適率化して攪拌して成功した。
畜産業者とその近隣住民も立ち会わせて実験をした成果、その双方から、『素晴らしい結果』だとして称賛を受けた。
要は、糞類２５に対して、石膏ボード粉２、フライヤッシュ０．５、ＥＭ菌と乳酸菌をそれぞれ０．４５の割合で混合して攪拌すれば良いだけの簡単な方法である。
【０００７】
【発明の効果】
本発明は、畜産業者や畜産農家だけで無く、悪臭公害に悩む地域住民の大きな悩みを瞬時に解決した。畜産農家はその悪臭から逃れるために、未熟な糞類を田畑に施用することで、未熟堆肥が故に植物の発芽・成育・成長障害を起こしていた。これからは本発明により、悪臭改善が可能と成り、良質な肥料として施用できる効果も見込まれる。
糞類の余剰堆肥も攪拌して、良質な肥料として製品化する方法が取れる。
【図面の簡単な説明】
【図１】家畜から排出される牛糞２５立方メートルに、石膏ボード粉２立方メートル、フライヤッシュ０．５立方メートルの混合粉剤《グループ▲１▼》を混ぜ、ＥＭ菌と乳酸菌をそれぞれ１，０００倍に薄めた４５０ミリリットルの混合液剤を混ぜて、攪拌機で攪拌する。
約１０分程度で、悪臭の改善と脱水が可能となる。
【図１】
2004250309.tif 000003
(57)【要約】【課題】本発明は、皮膚から有効成分をいかに吸収させるか。入浴温度４０度以下では細菌の温床にならないか。【解決手段】本発明の有効成分を細分化するには酵素  微生物を加えることで吸収率を上げることができる。細菌の温床については財団法人  日本食品分析センターによるレジオネア菌に対する抗菌試験（殺菌試験）で問題は解決済みである。この食せるきのこ類を入浴剤として提供する意義はおおきいし、温泉療法を手軽に体感し効果を実感でき尚且つ、安全に使用できる。【特許請求の範囲】
【請求項１】
しいたけ  舞茸  ぶなしめじ  なめこ  マツタケ  えのき  アガリクス  ハタケシメジのきのこ類の菌糸体  子実体に酵素を加え、その時得られる免疫活性を高める物質を含むものを主材とする。
【請求項２】
しいたけ  舞茸  ぶなしめじ  なめこ  マッタケ  えのき  アガリクス  ハタケシメジの菌糸体  子実体を煮出したもの、乾燥させたもの、植物精油の香り等でアロマテラピーに使用しうるものを含有主材とするもの。
【発明の詳細な説明】
【０００１】
【発明の属する技術分野】
しいたけ  舞茸  ぶなしめじ  なめこ  マッタケ  えのき  アガリクス  ハタケシメジの菌糸体  子実体を含有主材に美容  健康増進  アトピー性皮膚炎などアレルギー疾患者に関する活性剤である。
【０００２】
【従来の技術】
健康食品の原料として利用する（特公昭５８−３６９４６号）などきのこ類を食用として報告されているものや（特開平６−３２１７７０、特開平１０−１８２４２５）など酵素を配合した入浴剤はあるが、食するきのこを入浴剤とし、冷え性  肩こり  腰痛  リュウマチ  神経痛  アトピー性皮膚炎をはじめとする皮膚疾患者等に有効性を期待できるのがこの発明である。
【０００３】
本来入浴とは清潔  リラックスはもちろんではあるが、この発明は皮膚の毛穴からきのこの有効成分が浸透することで、体温を上昇させたり  口腔  気管などから湯気を吸引することで、自然治癒力を高めることも期待できる。
【０００４】
【発明が解決しようとする課題】
最近の食生活事情でアレルギーが増えたり、免疫不全  生活習慣病などの問題も多い。健康保持する入浴では、血液循環がよくなり神経  ホルモン  免疫の三系統のバランスに相乗作用で働いてこそ、健康は持続できる。きのこを食することで様々な薬理効果が確認されているが、この発明では入浴剤とすることで身体の修復能力への働きかけをもたらし、きのこ類に含む有効成分を皮膚から吸収させるのが目的である。
【０００５】
【課題を解決するための手段】
本発明は、入浴の効果をねらった活性浴剤であり、きのこの子実体  菌糸体  色素  植物精油等により構成されるのが特徴である。
【０００６】
【実施例１】
化学肥料など一切使用しない培地にきのこの種菌を接種し。温度  湿度など一定の条件下で培養し菌糸体を熟成させる。
【０００７】
【実施例２】
実施例１で熟成した菌糸体から表面をかきとり散水  覆土をして温度  湿度を管理し芽だしをし、子実体を発生させる。
【０００８】
【実施例３】
実施例１  実施例２でできあがった菌糸体  子実体を不織布に入れ沸かしたお風呂に１袋を使用する。
【０００９】
【実施例４】
熟成した菌糸体  子実体に酵素を加え熱水抽出を行い濾過したエキスを使用する。
【００１０】
【実施例５】
実施例４のエキスをでんぷんに吹き付けパウダー（粉末）状態にして使用する。
【００１１】
【実施例６】
実施例３  実施例４  実施例５に各種ハーブなど植物精油や色素を入れ刺激やリラックス効果を得る使用法。
【００１２】
【発明の効果】
本発明を使用した例として、かゆみ湿疹が和らいだ方  肌荒れが改善された方肌がつるつる保湿感があつたなど。内面的には、冷え性の改善  肩こりの軽減皮膚の清浄作用など。尚、入浴の効果はこれらに限定される以外に、しもやけ汗疹などにも改善効果が期待できる。
(57)【要約】【課題】巾木取付工事のときクロスを傷付け難く、床の養生を省略して施工コストを低減できる内装工事の施工方法を提供すること。【解決手段】複数本の巾木３０を並べて巾木カバー３２を被せることで、巾木３０同士の接合部３３を隠す。各巾木３０に短尺のものを使用できるので、巾木３０の取扱が容易になり、巾木３０の取付作業時に巾木３０でクロスを傷付けるおそれがない。従って、床貼り工事▲２▼と巾木取付工事▲３▼に先だってクロス工事▲１▼を行うことが可能となるので、床貼り工事▲２▼でクロスが汚れたり傷付けるおそれがなくなり、床の養生作業を省略でき、施工コストの低減が可能となる。【選択図】  図１
2004250974.tif 000002
【特許請求の範囲】
【請求項１】
壁のクロス工事を行い、次ぎに床貼り工事を行った後に、複数本の巾木を長手方向に並べて取付け、各巾木に共通の巾木カバーを被せて巾木同士の接合部を隠すことを特徴とする内装工事の施工方法。
【発明の詳細な説明】
【０００１】
【発明の属する技術分野】
本発明は壁のクロス工事、床貼り工事、巾木取付工事、建具枠取付工事等の内装工事の施工方法に関する。
【０００２】
【従来の技術】
一般に内装工事は、図３に模式的に示すように▲１▼’床貼り工事、▲２▼’建具枠取付工事、▲３▼’巾木取付工事、▲４▼’床の養生、▲５▼’壁のクロス工事、▲６▼’建具取付工事の順で行われている。
【０００３】
【発明が解決しようとする課題】
ところで、一般的に巾木は８畳間の一辺に相当する約２間（３ｍ６０ｃｍ）の長さより若干大きめのものを用意しておき、これを現場で寸法調整して使用しているが、約２間の長さを有するので取り扱い難く、取付作業時に壁のクロスを傷付け易い。そのため、まず床貼り工事▲１▼’を行い、次ぎに建具取付工事▲２▼’と巾木取付工事▲３▼’を行った後にクロス工事▲５▼’を行う必要がある。その際、貼り終わった床がクロス工事▲５▼’によって汚れるのを防止するため、クロス工事▲５▼’に先だって床の養生▲４▼’が必要となる。
本発明はかかる問題点に鑑みてなされたものであって、本発明の第一の目的は巾木取付工事のときクロスを傷付け難い内装工事の施工方法を提供することにある。また、本発明の第二の目的は床の養生を省略して施工コストを低減できる内装工事の施工方法を提供することにある。
【０００４】
【課題を解決するための手段】
上記目的を達成するため本発明に係る内装工事の施工方法は、壁のクロス工事を行い、次ぎに床貼り工事を行った後に、複数本の巾木を長手方向に並べて取付け、各巾木に共通の巾木カバーを被せて巾木同士の接合部を隠すことを特徴とする。
【０００５】
【発明の作用・効果】
本発明によれば、複数本の巾木を並べて巾木カバーを被せることで、巾木同士の接合部を隠すので、各巾木に短尺のものを使用できる。そのため、巾木の取扱が容易になり、巾木の取付作業時に巾木でクロスを傷付けるおそれがない。従って、床貼り工事と巾木取付工事に先だってクロス工事を行うことが可能となるので、床貼りでクロスが汚れたり傷付けるおそれがなくなり、床の養生作業を省略でき、施工コストの低減が可能となる。
【０００６】
【発明の実施の形態】
以下に本発明を図面に基づき説明するに、図１には本発明の一実施形態に係る内装工事の施工方法が模式的に示されている。当該施工方法は、▲１▼壁のクロス工事、▲２▼床貼り工事、▲３▼巾木取付工事、▲４▼建具枠取付工事、▲５▼巾木カバー取付工事、▲６▼建具取付工事の順番で行う。
【０００７】
図２に示すように、巾木取付工事▲３▼には、長さが約１間（１ｍ８０ｃｍ）の短尺巾木３０を使用し、これを壁５０に沿って床１０の上に立てて長手方向に並べ、釘等で壁５０に固定し、一壁面の各巾木３０に共通して一枚のプラスチック製巾木カバー３２を被せる。
【０００８】
巾木３０の上面には長手方向に延びる溝３０ａが形成され、前面下部に長手方向に延びる段状凹部３０ｂが形成されている。巾木カバー３２は上面と前面を備え、上面裏側に巾木３０の溝３０ａに嵌合する凸条３２ａが成形され、前面下部裏側に巾木３０の段状凹部３０ｂに係合する凸部３２ｂが成形され、前面下端部は裏側に湾曲する湾曲部３２ｃが成形されている。巾木カバー３２はプラスチックの弾性を利用し、巾木３０の溝３０ａに凸状３２ａを嵌合し、巾木３０の段状凹部３０ｂに凸部３２ｂを係合させることにより巾木３０に装着され、巾木３０の上面と前面を覆い、短尺巾木３０同士の接合部３３（図１参照）を隠すことができる。こうすることにより、あたかも１本の巾木が一壁面に取り付けられているように見える。
【０００９】
以上説明したように、本実施形態に係る内装工事の施工方法によれば、複数本の巾木３０を並べて巾木カバー３２を被せることで、巾木３０同士の接合部３３を隠すので、各巾木３０に短尺のものを使用できる。そのため、巾木３０の取扱が容易になり、巾木３０の取付作業時に巾木３０でクロスを傷付けるおそれがない。従って、床貼り工事▲２▼と巾木取付工事▲３▼に先だってクロス工事▲１▼を行うことが可能となるので、床貼り工事▲２▼でクロスが汚れたり傷付けるおそれがなくなり、床の養生作業を省略でき、施工コストの低減が可能となる。
【図面の簡単な説明】
【図１】本発明の一実施形態に係る内装工事の施工方法を模式的に示す説明図である。
【図２】同施工方法に使う巾木と巾木カバーを示すため図１の２−２線から切断した断面図である。
【図３】従来の内装工事の施工方法を模式的に示す説明図である。
【符号の説明】
▲１▼…クロス工事、▲２▼…床貼り工事、▲３▼…巾木取付工事、▲４▼…建具枠取付工事、▲５▼…巾木カバー取付工事、▲６▼…建具取付工事、３０…巾木、３２…巾木カバー、３３…接合部。
【図１】
2004250974.tif 000003
【図２】
2004250974.tif 000004
【図３】
2004250974.tif 000005
(57)【要約】【課題】外径振れ精度を確保しながらも安価なペーパガイドローラを供給する。【解決手段】長尺に連続した用紙の用紙走行経路を変更する連続紙印刷装置のペーパガイドローラにおいて、ペーパガイドローラは加工段差を設けないパイプ状とし、その外径の両端部に軸受けを取り付ける。【選択図】          図１
2004250200.tif 000002
【特許請求の範囲】
【請求項１】
長尺に連続した用紙の用紙走行経路を変更する連続紙印刷装置のペーパガイドローラにおいて、ペーパガイドローラは加工段差を設けないパイプ状とし、その外径の両端部に軸受けを取り付けることを特徴とする連続紙印刷装置のペーパガイドローラ。
【発明の詳細な説明】
【０００１】
【発明の属する技術分野】
本発明は、連続紙印刷装置の印刷位置精度向上に関する。
【０００２】
【従来の技術】
従来、多色印刷装置の色ズレ精度向上の為、多種の手段が知られている（例えば、特許文献１、特許文献２、特許文献３、特許文献４参照。）。
【０００３】
図２を用いて、従来の技術におけるペーパガイドローラついて説明する。
【０００４】
連続紙印刷装置の基本構成として、４ブロックで形成される。用紙を印刷装置内に引き込むインフィード部、用紙上に画像を形成する複数の画像形成部と転写部、用紙に熱や圧力を加え用紙上の画像を固着する定着部、用紙を印刷装置から排出するアウトフィード部である。各機構部の接続や機構部内部における用紙搬送経路を変更する手段として、一般的に従動回転できるペーパガイドローラ３を使用する。ペーパガイドローラ３は両端にローラを支持するための軸受け４が圧入や接着等により固定されている。
【０００５】
【特許文献１】
特開平１０−３３９９８４号公報
【特許文献２】
特開平９−２１６７４９号公報
【特許文献３】
特開平８−１０１６１８号公報
【特許文献４】
特開平５−５０６６０号公報
【０００６】
【発明が解決しようとする課題】
多数の画像形成部を用い、用紙上に１色ずつ画像を転写し多色印刷を実施するような装置では、色間の印刷位置ずれが色再現性等の画質に大きく影響を与える。用紙搬送方向の印刷位置ズレに着目すると印刷位置ズレは用紙搬送量に大きく影響を受ける。用紙搬送量を変化させる原因は搬送速度及び用紙張力である。搬送速度や用紙張力を変動させる要因は多数あるが、評価を実施した結果ペーパガイドローラの外径振れの影響が大きかった。
【０００７】
ペーパガイドローラの外径振れの要因としては、軸受けとローラ外径の芯ズレやローラ外径の円筒度加工精度及び軸受け回転精度が考えられる。円筒度は、工作機械の構成、加工精度や研削バイト及び研磨砥石の状態及び加工速度等によるもので、ある程度の精度確保は加工管理によって保証できる。また、一般的に軸受け回転精度は、問題にならないくらい小さなものが安価に市場供給されている。
【０００８】
一方、芯ズレを考えると、ペーパガイドローラ両端の軸受けを挿入するローラ内径加工は長尺ローラの場合、一般的に外径加工とは別工程となる。加工機にもよるが、旋盤装置や研磨装置のチャックのつかみ変えを実施する加工を行う。結果的に、外径加工部と内径加工部の芯ズレが発生し歩留まり低下をまねく。
【０００９】
ローラに必要な外径振れ精度は条件によるが、約１５μｍ以下である。そのため、材料費や加工工数が上昇し、ローラ単価が上がってしまう。
【００１０】
本発明の課題は、外径振れ精度を確保しながらも安価なペーパガイドローラを供給することにある。
【００１１】
【課題を解決するための手段】
上記課題を解決するため、本発明では、長尺に連続した用紙の用紙走行経路を変更する連続紙印刷装置のペーパガイドローラにおいて、ペーパガイドローラは加工段差を設けないパイプ状とし、その外径の両端部に軸受けを取り付けることを特徴とする。
【００１２】
【発明の実施の形態】
本発明の実施例について、図面を用いて説明する。
【００１３】
図１は本発明の定着装置の一実施例を示す概略構成図である。
【００１４】
ペーパガイドローラ１は加工段差がなく、軸受け２の内径に接着もしくは圧入によって固定される。そのため、ペーパガイドローラの芯ズレを起こすチャックの掴み変え等の工程は無くなる。これにより、ペーパガイドローラ１の外径ぶれは、ペーパガイドローラ１の加工精度のみに左右されることになる。
【００１５】
【発明の効果】
本発明の構成により、ローラの円筒度のみを考え、芯ズレを考えなくても良くなった。
【図面の簡単な説明】
【図１】本発明の実施例を示すペーパガイドローラの概略図である。
【図２】従来のペーパガイドローラの概略図である。
【符号の説明】
１はペーパガイドローラ、２は軸受け、３はペーパガイドローラ、４は軸受けである。
【図１】
2004250200.tif 000003
【図２】
2004250200.tif 000004
(57)【要約】【課題】接続管を接続管挿入孔に圧入する際に、接続管よって圧縮要素が変形することによるロックを引き起こさないために行っていた、拡径などの工数がかかるという課題の解決を実現する。【解決手段】接続管１０７Ａの接続管挿入孔１０９への挿入部の一部を薄くした密閉型圧縮機を提供することにより、接続管１０７Ａを圧入しても、接続管１０７Ａによる圧縮要素１０４の変形を少なくでき、ロックを引き起こさず、拡径などの工数を削減でき、安価で信頼性の高い圧縮機が提供できる。【選択図】  図１
2004285993.tif 000002
【特許請求の範囲】
【請求項１】
密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の接続管挿入孔への挿入部の一部を薄くした密閉型圧縮機。
【発明の詳細な説明】
【０００１】
【発明の属する技術分野】
本発明は、冷凍機、空調機などに使用される密閉型圧縮機の改良に関するものである。
【０００２】
【従来の技術】
従来の密閉型圧縮機としては、接続管１０７の筒壁を内側から径方向外側に押圧して拡径することで、接続管挿入孔１０９の周壁面に圧接しているものがあった（例えば、特許文献１参照）。図２は、前記特許文献１に記載された従来の密閉型圧縮機を示すものである。
【０００３】
図２において、密閉容器１０３内部に圧縮要素１０４を収納し、圧縮要素１０４に通じる冷媒が流通する接続管挿入孔１０９を設け、接続管挿入孔１０９に筒状の接続管１０７の一端部が接続されていると共に、接続管１０７の他端部に吸入管１０１が接続された圧縮機において、接続管１０７が吸入管１０１とのロー付けを容易にするため銅によって形成されていると共に、接続管１０７の一端部が筒壁を内側から径方向外側に押圧して拡径することによって接続管挿入孔１０９の周壁面に圧接する。
【０００４】
【特許文献１】
特開平１１−２０１０４１号公報
【０００５】
【発明が解決しようとする課題】
しかしながら、従来の構成では、接続管を接続管挿入孔に圧入する際に、接続管によって圧縮要素が変形し、ロックを引き起こす場合があるため、圧入せずに接続管の筒壁を内側から径方向外側に押圧して拡径することによって、接続管挿入孔の周壁面に圧接していたため、工数がかかるという問題があった。
【０００６】
本発明は、このような従来の課題を解決するものあり、接続管１０７Ａの接続管挿入孔１０９への挿入部１１２Ａの一部を薄くすることで、接続管が圧縮要素に及ぼす力を少なくでき、接続管１０７Ａを接続管挿入孔１０９に、圧入しても変形が少なくなり、ロックを引き起こさず、拡径などの工数を削減することを目的としたものである。
【０００７】
【課題を解決するための手段】
前記従来の課題を解決するために、本発明の密閉型圧縮機は、密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の接続管挿入孔への挿入部の一部を薄くした密閉型圧縮機を提供する。
【０００８】
本構成によって、接続管を薄くすることで、接続管が圧縮要素に及ぼす力を少なくでき、接続管挿入孔に挿入する際に、圧入を行っても、圧縮要素の変形を少なくでき、ロックを引き起こさず、拡径などの工数を削減できる。
【０００９】
【発明の実施の形態】
以下本発明の実施形態について、図面を参照しながら説明する。
【００１０】
（実施の形態１）
図１は、本発明の実施の形態１における密閉型圧縮機の要部断面図である。図１において、図２と同じ構成要素については同じ符号を用い、説明を省略する。
【００１１】
図１において、密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の接続管挿入孔への挿入部の一部を薄くした密閉型圧縮機を提供するものである。
【００１２】
かかる構成によれば、接続管を薄くすることで、接続管が圧縮要素に及ぼす力を少なくでき、接続管挿入孔に挿入する際に、圧入を行っても、圧縮要素の変形を少なくでき、ロックを引き起こさず、拡径などの工数を削減できる。
【００１３】
【発明の効果】
以上のように、本発明の密閉型圧縮機によれば、密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の接続管挿入孔への挿入部の一部を薄くした密閉型圧縮機を提供することにより、圧入を行っても、圧縮要素の変形を少なくできロックを引き起こさず、拡径などの工数を削減でき、安価で信頼性の高い圧縮機が提供できる。
【図面の簡単な説明】
【図１】本発明の実施の形態１における密閉型圧縮機の要部断面図
【図２】従来の密閉型圧縮機の要部断面図
【符号の説明】
１０１    吸入管
１０３    密閉容器
１０４    圧縮要素
１０７Ａ  接続管
１０９    接続管挿入孔
１１２Ａ  挿入部
【図１】
2004285993.tif 000003
【図２】
2004285993.tif 000004
(57)【要約】【課題】調理、配膳等を行う際、確実に頭髪落下を防ぐための着脱簡単な調理用帽子や三角巾のカバーつきキャップを提供する。【解決手段】中にかぶる本体のキャップに、伸縮性があり、静電気が起こりやすいストッキング素材を使うことで、頭髪全体をすっぽりおおうことができ、頭部保護のためのカバーである帽子や三角巾にマジックテープなどを利用することで着脱も簡単にでき、さらに形状記憶加工を加えることで洗濯後のアイロンがけが、不要になる。【選択図】      図３
2004285546.tif 000002
【特許請求の範囲】
【請求項１】
材質は、いわゆるパンテイストッキング素材のナイロン、ポリエステルなどを用い、キャップの口の部分１は、パンテイストッキングのウエスト部分の編み方、本体部分２は、ヒップ部分の編み方が望ましく、キャップをかぶった時、ぴったりとしたかぶり心地、なおかつ、窮屈ではない、長い髪の毛でもキャップ内に収納できるネット状の帽子を本体（キャップ）とする。
【請求項２】
本体に、マジックテープ等３を利用することで簡単な着脱方法とした帽子４や三角巾５などをカバーとして取り付け、このカバーにはアイロンがけを避ける為に形状記憶加工を加える、さらに、防炎加工をほどこすことが望ましい。
【発明の詳細な説明】
【０００１】
【発明の属する技術分野】
この発明は、調理や配膳など、頭髪が落ちると困る作業をする時に、頭髪落下防止として、これまでの三角巾、調理時の帽子の発達したものとして、利用するものである。
【０００２】
【従来の技術】
これまで、調理、配膳などを行う際、三角巾や、帽子などで頭髪落下を防いできたが、どうしてもこれらのすきまなどから頭髪が落ちることがあり、不衛生であった、また、着脱しにくかった。
【０００３】
【発明が解決しようとする課題】
調理、配膳などを行う際、頭髪落下防止として、三角巾や帽子を用いるが、どうしても耳などがじゃまになり、頭髪がはみでることが原因で、頭髪が落ちることがある、また、着脱しにくいこと。
【０００４】
【課題を解決するための手段】
伸縮性があり、静電気が起こりやすいストッキング素材を使ったこの帽子（本体）を中にかぶることにより、耳のまわりの毛のようなこれまではみ出していた頭髪を包み込め、頭髪落下を防げるようになり、頭部保護のためにつけるカバーの帽子４や三角巾５にマジックテープ３などを使うことで簡単な着脱方法にできる。
【０００５】
【発明実施の形態】
（イ）ナイロン、ポリウレタンなどを原料とするいわゆるストッキング素材を使う。
（ロ）頭周り１にパンティストッキングのウエスト部分の編み方、本体部分２にヒップ部分の編み方を用いることが望ましい。
（ハ）形状は、円筒形のものを上部で絞り込んだり、縫い合わせる６などして帽子にしたものである。
（二）サイズについては、使用者のサイズによるが、頭周りが、３５〜５０ｃｍ８、頭のてっぺんまでの長さは、１５〜２５ｃｍ９を目安にする。
（ホ）頭部保護のため、帽子４や三角巾５などをカバーとして取り付ける７。
（ヘ）帽子４や三角巾５などは、マジックテープ３などを用いて着脱しやすいようにし、形状記憶加工が必要で、さらに安全性の向上の為、防炎加工を加えることが望ましい。
【０００６】
具体的な使用方法としては、ストッキングのようなネット状の帽子（本体）で耳のまわりのはみ出しやすかった髪の毛を含む頭部全体を包み込んで頭髪落下を防止し、マジックテープ３などで着脱簡単になった帽子４や三角巾５などでカバーをし、頭部保護とする。
【０００７】
【発明の効果】
子供からお年寄りまで簡単な着脱で、頭髪の落下を確実に防げ、頭部を保護できる。
【図面の簡単な説明】
【図１】本発明（カバーなし）の斜視図である。
【図２】本発明の後方からの分解斜視図である。
【図３】本発明の横方向分解図である。
【符号の説明】
１  キャップ本体の口部分
２  キャップ本体部分
３  マジックテープなど
４  帽子
５  三角巾
６  キャップ本体上部
７  キャップ本体にカバー（帽子、三角巾）を取り付ける
８  キャップ本体頭周り
９  キャップ本体縦方向の長さ
【図１】
2004285546.tif 000003
【図２】
2004285546.tif 000004
【図３】
2004285546.tif 000005
(57)【要約】［課題］  座位・立位が取りにくい病人やけが人・老人やこう縮を持った人に衣服を着せたり、脱がしたりする事は介護する人にとっても、される人にとっても大きな労力を要し、ストレスさえ発生させる。［解決手段］  トレーナー・Ｔシャツ等トップスの場合は前身ごろの中央と胸から前腕にかけての部分がマジックテープで開閉できるようにする。スラックス・カジュアルパンツ等のボトムスにおいても同様に開閉できるようにする。非介護者が寝た状態であっても本発明を拡げた上で少し寝返りを打ってもらうだけで楽に着せ替えさせる事が出来る。又のりしろ部分をつける事により、吸汗・防寒効果などを高める事ができる。服の裏地に一本線を縦に入れる事により、服の中心が体の中心に合い、服のヨレやシワが少なくなる。【選択図】    図１
2004285543.tif 000002
【特許請求の範囲】
【請求項１】
Ｔシャツ・トレーナー等のトップス、カジュアルパンツ・スラックス等のボトムス、又パジャマ等の上下セットの衣類、又は肌着であっても寝ている状態の人に楽に着せ替えさせる事のできる介護用衣料品であり、マジックテープを使い、開閉できる事を特徴とする。デザインを左右対称にする事により、片麻痺の被介護者であっても、又介護者の利き腕が左右どちらであっても対応できるものとする。
【請求項２】
前記マジックテープ取り付け箇所の脇にはのりしろ布地を取り付ける事により、完全に肌をガードする事ができる、春夏秋冬の服すべてに対応可能な介護用衣料品。
【請求項３】
服の裏地中央に一本線を縦に入れる事により服の中心が体の中心に合うように着せる事が出来、服のシワやヨレが少なくなる。
【発明の詳細な説明】
【０００１】
［発明の属する技術分野］
本発明は寝たきりの病人・けが人・あるいは老人・こう縮のある人が着替えをする際に介護者が楽に着せ替えさせる事ができる介護用衣料品である。
【０００２】
［従来の技術］
特に介護用としての衣類は広く流通しておらず、デザイン的には健常者が使っている物と大きく変わりがない。
【０００３】
［発明が解決しようとする課題］
自力で立位・座位がとれず、介護を必要としている人の着替えはベット上で介護者が行うのが一般的であるが、ほとんど寝たきりであるがゆえに、一日に何度も訪れる、時間・場所・機会に合わせた着替えが介護者する者にとっても、される者にとっても大きな負担となっており時にはストレスさえ発生させる。
【０００４】
［課題を解決するための手段］
本発明は衣類の中央部分をマジックテープで開閉できるようにし、ほとんど寝たきりであっても、わずかな体位交換によって、簡単に衣類の着脱ができるようにし、長袖・長ズボン、あるいは半袖・半ズボンすなわち春夏秋冬すべての衣類・肌着にこのデザインが有効であるため、価格面においてもローコスト化が可能である。
【０００５】
［発明の実施の形態］
以下、本発明の実施の形態について説明する。
（イ）．トレーナー・Ｔシャツ等トップスの場合は前身ごろの首の中心から体の中心線にかけて開閉できるようにし、腕から前腕にかけても同様に開閉できるようにする。開閉部分にマジックテープを取り付け、その脇にはのりしろ布地を取り付ける。スラックス・カジュアルパンツ等のボトムスにおいても同様に中心線でかつ内ももの部分で開閉できるようにする。
（ロ）．服の裏地中央に一本線を縦に入れる。
【０００６】
［発明の効果］
大きな労力を要したほとんど寝たきりの人の着せ替えを、この発明を広げた状態の上で少し寝返りを打ってもらうだけで楽に着替えさせることができ、非介護者の体を清潔に保つ事が出来、又精神的にも快適さを保つ事が出来る介護者にとっての負担も軽減する。
【図面の簡単な説明】
【図１】本発明の正面図及び開閉時の図である。
【図２】本発明の胴囲・腕囲・足囲の断面図である。
【符号の説明】
１  トップス本体
２  ボトムス本体
３  トップス見開き図
４  ボトムス見開き図
５  マジックテープ
６  中心線ライン
７  のりしろ布地
【図１】
2004285543.tif 000003
【図２】
2004285543.tif 000004
(57)【要約】【課題】洗い髪を簡単にまとめる事が出来、とかす時には肩にかけることができ、ガーデニングの時は首すじや顔の日除けをふせぐことが出来るようにする。【解決手段】１枚のタオル（１）の幅方向−端縁（２）に数本のゴム紐（５）を入れて引き縮め、左上部（３）右上部（４）を縫い合わせたものである。【選択図】    図１
2004285545.tif 000002
【特許請求の範囲】
【請求項１】
１枚のタオル（１）の幅方向−端縁（２）に数本のゴム紐（５）を入れて引き縮め、その長さ方向両端を縫い合わせて構成した、日除け兼用ヘアカバー。
【発明の詳細な説明】
【０００１】
【発明の属する技術分野】
この発明は、洗い髪を簡単にまとめ、又髪をとかす時、肩かけとして使用でき、又ガーデニングの時、首、顔の日除けとして使用出来る、日除け兼用ヘアカバーに関するものである。
【０００２】
【従来の技術】
従来のヘアカバーとしては、ゴムを入れて筒状にしたものがある。
【０００３】
【発明が解決しようとする課題】
しかし、このヘアカバーには、次のような問題点があった。
（１）髪をとかす時肩にかける事が出来なかった。
（２）ガーデニングの時、首、顔の日除けとして使用する事が出来なかった。
本発明は以上の欠点を解決するためになされたものである。
【０００４】
【課題を解決するための手段】
この発明の日除け兼用ヘアカバーは、一枚のタオル（１）の幅方向−端縁（２）に数本のゴム紐（５）を入れて引き縮め、左上部（３）と右上部（４）を縫い合わせ、ターバン状にしたものである。
この様な構成により、洗い髪を簡単にまとめる事が出来、髪をとかす時は肩かけとして使用出来る。又ガーデニングに使用する時は首すじや顔の日焼けをふせぐ事が出来る。
【０００５】
【発明の実施の形態】
図３に示すように、タオル（１）の幅方向−端縁（２）に数本のゴム紐（５）を入れて引き縮め、左上部（３）右上部（４）を縫い合わせ、図１のようにターバン状にする。図２に示すようにターバン状の部分で髪を固定させ、タオル（１）の後ろの部分を頭の上にのせ、タオル（１）の右左の部分を重ねてかぶせる事により、洗い髪をまとめる事が出来る。首すじや顔の日焼けをふせぐ時は重ねた部分をおろして使用する。
【０００６】
【発明の効果】
本発明の日除け兼用ヘアカバーを使用する事により、洗い髪を簡単にまとめる事が出来、髪をとかす時には肩かけとして使用出来る。又ガーデニングに使用の時は、首すじや顔の日焼けをふせぐこと事が出来る。
【図面の簡単な説明】
【図１】実施例の日除けヘアカバーの斜視図である。
【図２】図１の日除け兼用ヘアカバーの使用状態を示す斜視図である。
【図３】実施例の日除け兼用ヘアカバーに使用するタオルの平面図である。
【符号の説明】
１      タオル
２      幅方向−端縁
３      左上部
４      右上部
５      ゴム紐
【図１】
2004285545.tif 000003
【図２】
2004285545.tif 000004
【図３】
2004285545.tif 000005